(57)【要約】【課題】口栓の嵌着力を十分に演出でき、操作性に富む玉網の柄を提供する。【解決手段】この玉網の柄２の最も手元側に位置する手元筒状体１４の先端側端部の内周面は軸方向の一定範囲において径の変化しない部分となっており、この部分が嵌合雌部となっている。また、玉網の柄２の先端筒状体１１の先端側端部に連結された栓部材であり、外周面が手元筒状体１１の嵌合雌部に嵌合する嵌合雄部となっている口栓１０を有する。【選択図】      図２
2004208589.tif 000002
【特許請求の範囲】
【請求項１】
先端側に位置する筒状体が順次手元側の筒状体内に収納可能なように振出形式に複数の筒状体を連結してなる玉網の柄であって、
最も先端側に位置する先端筒状体と、
最も手元側に位置する太径の筒状体であり、その先端側端部の内周面に軸方向の一定範囲において径の変化しない部分を有し、この部分が嵌合雌部となっている手元筒状体と、
前記先端筒状体の先端側端部に連結された栓部材であり、網枠が連結され且つ外周面が前記手元筒状体の嵌合雌部に嵌合する嵌合雄部となっている口栓と、
を備えた玉網の柄。
【請求項２】
前記口栓の嵌合雄部は手元側ほど小径化するテーパ面となっている、請求項１に記載の玉網の柄。
【請求項３】
前記口栓の嵌合雄部の軸方向長さは前記手元側筒状体の嵌合雌部の軸方向長さより長い、請求項１又は２に記載の玉網の柄。
【発明の詳細な説明】
【０００１】
【発明の属する技術分野】
本発明は魚釣りに用いる玉網、特に、その柄に関する。
【０００２】
【従来の技術】
魚釣りを行う際に、釣竿の仕掛けに係った魚を引き上げるために玉網が用いられる。玉網は、環状の枠部と、枠部に固定される袋状の網と、枠部に連結された柄とを有している。この柄は、複数の先細りテーパの施された筒状体を順次振出形式に連結してなるものであり、順次手元側の筒状体内に先端側の筒状体が収納可能となっている。
【０００３】
このような玉網では、収納時は玉網の柄を構成する筒状体を順次手元側に収納したコンパクトな状態としておく。そして、釣竿の仕掛けにかかった魚を釣り上げる際に、網側を水面に向かって勢いよく差し出し、順次の筒状体を引き出して長い一本の柄部として先端の網に魚をすくい入れる。そして、このように玉網の柄をコンパクトな状態とした際に、手元側の筒状体内に収納した他の筒状体が先端側に飛び出さないように、口栓が玉網の柄の最も先端側に位置する筒状体に装着されているものがある（例えば、特許文献１参照）。
【０００４】
【特許文献１】
特開２０００−２８７５８２号公報（図４参照）
【０００５】
【発明が解決しようとする課題】
上述のように、一般的な玉網の柄は複数の筒状体が振出形式に連結されている。そこで、図５に示すように、例えば、竿元側に位置する筒状体１０１に収納されている先端側に位置する筒状体１０２が、筒状体１０１の先端側に飛び出さないように、筒状体１０１の先端側端部には抜け止め用のテーパ部分が形成される。このようなテーパ部分（手元側ほど内径が大径化する）となっている筒状体１０１の先端側内周面に口栓を嵌着させても、口栓と筒状体１０１とは十分な接触面を得られず、十分な嵌合力を得られない恐れがある。
【０００６】
本発明の課題は、口栓の嵌着力を十分に演出でき、操作性に富む玉網の柄を提供することにある。
【０００７】
【課題を解決するための手段】
発明１の玉網の柄は、先端側に位置する筒状体が順次手元側の筒状体内に収納可能なように振出形式に複数の筒状体を連結してなる玉網の柄であって、最も先端側に位置する先端筒状体と、最も手元側に位置する太径の筒状体であり、その先端側端部の内周面に軸方向の一定範囲において径の変化しない部分を有し、この部分が嵌合雌部となっている手元筒状体と、先端筒状体の先端側端部に連結された栓部材であり、網枠が連結され且つ外周面が手元筒状体の嵌合雌部に嵌合する嵌合雄部となっている口栓とを備えている。
【０００８】
この玉網の柄は、先端筒状体の先端側端部に連結されている口栓に網枠を連結して用いられる。玉網の柄を構成する先端筒状体から順次手元側に位置する各筒状体内に振出形式に各筒状体が収納されてコンパクトな状態となる。そして、このコンパクトに収納した状態で、先端筒状体の先端側端部に連結された口栓の嵌合雄部を、手元側筒状体の嵌合雌部に嵌着させて栓をする。この際、嵌合雌部は軸方向の一定範囲で径の変化しない部分となっており、口栓の嵌合雄部は嵌合雌部への十分な接触面を得て、挿入程度に関わらず均一な嵌着力を得られる。
【０００９】
魚を釣り上げた際には、口栓の嵌合雄部の嵌合雌部に対する嵌着を解除し、先端筒状体から順次先端側に勢いよく振り出して、先端の網枠に連結された網に魚を取り込む。
発明２の玉網の柄は、発明１の柄であって、口栓の嵌合雄部は手元側ほど小径化するテーパ面となっている。
【００１０】
この玉網の口栓は、その外周面たる嵌合雄部が手元側ほど小径化するテーパ面であり、手元側から嵌合雌部となっている手元筒状体の先端側端部に挿入し易い。嵌合雄部がテーパ面となっていても嵌合雌部が径の変化しない部分であるから、口栓の嵌合雄部は嵌合雌部への十分な接触面を得て、挿入程度に関わらず均一な嵌着力を得られる。
【００１１】
発明３の玉網の柄は、発明１又は２の柄であって、口栓の嵌合雄部の軸方向長さは手元側筒状体の嵌合雌部の軸方向長さより長い。
嵌合雄部の軸方向長さが嵌合雌部より長く、嵌合雄部全体が嵌合雌部に嵌着して十分な嵌合力を得られる。
【００１２】
【発明の実施の形態】
［第１実施形態］
本発明の第１実施形態について図面を参照しつつ説明する。
本発明の第１実施形態を採用した玉網は、図１に示すように、環状の枠に網が取り付けられた網枠部１とこれに連結される玉網の柄２とからなる。
【００１３】
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、枠と網とを組み合わせたものである。この網枠部１は後述の口栓１０を介して玉網の柄２に脱着自在に装着される。例えば、この網枠部１の一部に雄ねじ等を形成し、この雄ねじ部によって玉網の柄２に脱着自在に装着されている。または、網枠部１はその一部が口栓１０に挿入され一体的に連結され、口栓１０を玉網の柄２に脱着自在に連結するなどの方法がある。
【００１４】
玉網の柄２は、例えば、４つの筒状体（先端側から順に、第１筒状体１１〜第４筒状体１４）を振出形式に連結して構成されている。各筒状体１１〜１４は、それぞれ炭素繊維等の強化繊維に合成樹脂を含浸させた繊維強化樹脂を芯材に巻回して焼成して製造する先細り筒状部材である。これらはいわゆる振出形式で連結されるため、順次手元側の筒状体内に収納可能である。もっとも、釣竿の竿体のように引き延ばした状態で相互に筒状体同士を連結固定する必要はない。これらの第１筒状体１１〜第３筒状体１３の手元側端部外周面はそれぞれ各筒状体が先端側に飛び出さないような「抜け止め」となっていれば足りる。なお、ここでは４本の筒状体を連結した場合を例示しているが、筒状体の本数は任意に設定可能である。
【００１５】
最も手元側に位置する太径の第４筒状体１４は、図１〜３に示すように、全体として先細りテーパの施される筒状体である。第４筒状体１４の先端側部分から５ｍｍ程度の軸方向範囲においては、軸方向に一定の範囲で径の変化しない部分Ｘが形成されており、さらにこのＸ部分の竿元側に連続して２／１０００〜５／１０００程度で竿元側ほど大径化する急テーパ部分Ｙが形成される（図２・図３参照）。この急テーパ部分Ｙの竿元側は１／１０００程度の通常のテーパ部分が形成される。このＸ部分が嵌合雌部となる。なお、第４筒状体１４の竿元側端部の内周面には直接ねじ溝が形成され若しくは別体として雌ねじ部材が装着されており、ここに底栓４が脱着自在に装着されている。
【００１６】
第４筒状体１４は、例えば、図４に示すように、所定のテーパ（一定範囲の軸方向において径の変化しない部分とこれに連続する急テーパなど）を施したマンドレル１００を準備する。マンドレル１００の軸方向において型の変化しない部分は２０〜３０ｍｍ程度設定するのが好ましい。マンドレル１００に離型剤などを塗布した上で、シート状若しくはテープ状に加工したプリプレグＰを巻回する。その後、プリプレグＰごと焼成し、マンドレル１００を引き抜き、軸方向の両端を切り落として長さを整える。
【００１７】
第３筒状体１３も、第４筒状体１４と同様に全体として先細りテーパの施される筒状体である。もっとも、第４筒状体１４と異なり先端側端部には軸方向に一定の範囲で径の変化しない部分は形成されていない。竿元側端部は竿元側ほど大径化する急テーパ部分が形成される。この第３筒状体１３を先端側に引き出した際に、竿元側端部が上述の第４筒状体１４の急テーパ部分Ｙに当接して「抜け止め」となる。なお、第２筒状体１２，第１筒状体１１も第３筒状体１３と同様であり説明を省略する。
【００１８】
図２に示すように、口栓１０は、ウレタンゴム等のゴム素材から形成される栓部材である。太径の頭部分とその手元側の挿入部分とからなる。頭部分には、例えば、網枠部１が貫通し若しくは網枠部１が螺着する。挿入部分は外周面が手元側ほど小径化するようなテーパ面となっている。この外周面が嵌合雄部である。嵌合雄部の径はその最小径が第４筒状体１４の先端側端部の嵌合雌部の内径に合致するように設定するのが好ましい。この外周面には周方向に間隔を隔てて軸方向に伸びる凹溝が複数形成されている。嵌合雄部の固着防止のためである。嵌合雄部となる挿入部分の軸方向長さは７〜１０ｍｍ程度に設定するのがよい。嵌合雌部より嵌合雄部の軸方向長さを長く設定することで、嵌合雄部全体が嵌合雌部に嵌着して十分な嵌合力を得られる。
【００１９】
また、挿入部分の竿元側端面には軸方向に孔が形成されており、ここに第１筒状体１１の先端側先端が挿入され固定されている。両者は接着してもよいが、ねじ式などに脱着自在としてもよい。
このような玉網では、収納時には、玉網の柄２を構成する第１筒状体１１から順次手元側に位置する各筒状体内に振出形式に各筒状体が収納され、第４筒状体１４内に各筒状体が収納されたコンパクトな状態となる。そして、このコンパクトに収納した状態で、第１筒状体１１の先端側端部に連結された口栓１０の嵌合雄部を、第４筒状体１４の嵌合雌部に嵌着させて栓をする（図２参照）。この際、嵌合雌部は軸方向の一定範囲で径の変化しない部分となっており、口栓１０の嵌合雄部は嵌合雌部への十分な接触面を得て、挿入程度に関わらず均一な嵌着力を得られる。
【００２０】
一方、魚を釣り上げた際には、口栓１０の嵌合雄部の嵌合雌部に対する嵌着を解除し、第４筒状体１４をユーザは把持して、網枠部１乃至第１筒状体１１を順次先端側に勢いよく振り出して、玉網の柄２を長く伸ばす。そして、先端の網枠部１に連結された網に魚を取り込む。
【００２１】
【発明の効果】
本発明の玉網の柄によれば、口栓の嵌着力を十分に演出でき、操作性にも富む。
【図面の簡単な説明】
【図１】本発明の第１実施形態を採用した玉網の全体図。
【図２】図１の玉網の柄の口栓１０付近の拡大図。
【図３】図１の玉網の柄の第４筒状体１４と第３筒状体１３との連結部分。
【図４】第４筒状体１４の製造方法を示した図。
【図５】従来の玉網の柄の状態を示した図。
【符号の説明】
１  網枠部
２  玉網の柄
１１〜１４  第１〜第４筒状体
１０  口栓
【図１】
2004208589.tif 000003
【図２】
2004208589.tif 000004
【図３】
2004208589.tif 000005
【図４】
2004208589.tif 000006
【図５】
2004208589.tif 000007